(57)【要約】【課題】  機種名を示すシート材等を剥がした際の糊残り、紙残り等の現象をなくし、また使用済み後に物品梱包容器から伝票やラベル等を除去し易くして、再利用効率が高くて循環使用可能な物品梱包容器を提供する。【解決手段】  物品梱包容器１０の一の側壁体６の表面に、上側が開口する透明フォルダ１１を粘着部材１２で貼り付ける。透明フォルダ１１には、送付先等々を記載した伝票や機種名等を示すラベル、シート等の伝票シート１３を収納する。透明フォルダ１１に伝票シート１３を収納する際には、透明フォルダ１１の前面側を引っ張りながら、上縁の開口１４から透明フォルダ１１中に機種名称を示す伝票シート１３を挿入する。伝票シート１３を取り出す際にも、透明フォルダ１１の前面側を引っ張って開口１４から透明フォルダ１１中にある伝票シート１３を抜き出す。【選択図】        図１
2006199344.tif 000002
【特許請求の範囲】
【請求項１】
物品の出荷、物品納入後の返却、再度の物品の出荷等々のように循環してあるいは繰り返して使用するための物品梱包容器であって、装置構成部材のいずれかの外面部位に、前記物品出荷先、返却先等を記載した伝票、ラベル、シート等の表示材の収納体を設けたことを特徴とする物品梱包容器。
【請求項２】
請求項１の物品梱包容器において、前記収納体が少なくとも外面側が透明の袋状体であることを特徴とする物品梱包容器。
【請求項３】
請求項２の物品梱包容器において、前記袋状体である前記収納体が、上縁または一側縁に開口を有し、該開口から前記表示材の収納を可能としたことを特徴とする物品梱包容器。
【請求項４】
請求項３の物品梱包容器において、前記収納体の前記開口が、外部からの引っ張り力の印加で広がることを特徴とする物品梱包容器。
【請求項５】
請求項３または４の物品梱包容器において、前記収納体を前記開口を広げるための引っ張り方向の両端側で前記装置構成部材の外面部位に固着して、中央部分を非固着としたことを特徴とする物品梱包容器。
【請求項６】
請求項３または４の物品梱包容器において、前記収納体を前記開口を広げるための引っ張り方向の両端側より若干中央側で前記装置構成部材の外面部位に固着して、中央部分を非固着としたことを特徴とする物品梱包容器。
【発明の詳細な説明】
【技術分野】
【０００１】
本発明は、繰り返し使用を目的とした梱包装置に関し、詳細には、画像形成装置等の物品の運搬等に用いる循環使用可能な物品梱包容器に関する。
【背景技術】
【０００２】
複写機等の電子機器は、段ボールで梱包して顧客のもとへ配送するのが一般的である。電子機器等の物品を顧客のもとに配送した後、段ボールや緩衝材等の梱包材は、折り畳んだり、積み重ねたりしてトラック等に積載して回収し、その後に破棄するなどしていた。
【０００３】
しかし、梱包材を廃棄することになるため、環境にも影響を与えるので改善が望まれており、再利用可能な循環型の梱包容器が提案されていた（例えば特許文献１参照）。
【０００４】
循環型の物品梱包容器は、例えば図３に示すように、物品１の載置体となるベース２、ベース２上に搭載した物品１の四周の側面との間に隙間３を残して囲む囲繞体４としての４本の支柱５及び４面の側壁体６、囲繞体４の頂部を覆う天蓋体７を含み、囲繞体４と物品１の外側周面との間の隙間３に適当な緩衝材８を挟み込み物品の破損等を防止するようにしている。
【０００５】
ところで、従来の段ボールによる梱包では、梱包される電子機器の機種名称等が記載されたものを使用したり、段ボールに直接伝票を貼り付けて、顧客へ配送したりしている（例えば特許文献２参照）が、循環型の梱包容器の場合、各機種に依存した梱包とするのではなく、あらゆる機種に対応できるようにすることが好ましい。
【特許文献１】特開2004-203463号公報
【特許文献２】特開平09-131983号公報
【発明の開示】
【発明が解決しようとする課題】
【０００６】
しかしながら、機種に依存せず、多くの機種名を表示できるようにするには、当然ながら梱包構成部材に機種名等を打刻することは好ましくなく、また伝票や、機種名を示すラベル等を粘着シート材等として構成部材に貼り付けることも、回収時のシート張り替えによりシート裏面の糊や粘着材、さらには粘着材が強固に付着したシート材の一部が残ることが多く、するとそれらを剥がすための再生処理工程が発生してしまい、循環効率が悪くなってしまう。
【０００７】
そこで本発明は、上記従来の課題を解決し、機種名を示すシート材等を剥がした際の糊残り、紙残り等の現象をなくし、また使用済み後に物品梱包容器から伝票やラベル等を除去し易くして、再利用効率が高くて循環使用可能な物品梱包容器を提供することを目的とする。
【課題を解決するための手段】
【０００８】
本発明の物品梱包容器のうち請求項１に係るものは、物品の出荷、物品納入後の返却、再度の物品の出荷等々のように循環してあるいは繰り返して使用するための物品梱包容器であって、装置構成部材のいずれかの外面部位に、前記物品出荷先、返却先等を記載した伝票、ラベル、シート等の表示材の収納体を設けたことを特徴とする。
【０００９】
同請求項２に係るものは、請求項１の物品梱包容器において、前記収納体が少なくとも外面側が透明の袋状体であることを特徴とする。
【００１０】
同請求項３に係るものは、請求項２の物品梱包容器において、前記袋状体である前記収納体が、上縁または一側縁に開口を有し、該開口から前記表示材の収納を可能としたことを特徴とする。
【００１１】
同請求項４に係るものは、請求項３の物品梱包容器において、前記収納体の前記開口が、外部からの引っ張り力の印加で広がることを特徴とする。
【００１２】
同請求項５に係るものは、請求項３または４の物品梱包容器において、前記収納体を前記開口を広げるための引っ張り方向の両端側で前記装置構成部材の外面部位に固着して、中央部分を非固着としたことを特徴とする。
【００１３】
同請求項６に係るものは、請求項３または４の物品梱包容器において、前記収納体を前記開口を広げるための引っ張り方向の両端側より若干中央側で前記装置構成部材の外面部位に固着して、中央部分を非固着としたことを特徴とする。
【発明の効果】
【００１４】
本発明では、使用済み後に伝票やラベルを剥がす必要が無く、簡単に交換でき、容器回収時の梱包機種変更に伴う作業性が向上する。
【発明を実施するための最良の形態】
【００１５】
以下本発明を実施するための最良の形態を、図に示す実施例を参照して説明する。なお以下では、従来の例と共通する部分には共通する符号を付して説明する。
【実施例１】
【００１６】
図１は本発明に係る物品梱包容器の一実施例の要部を示す斜視図、また図２は要部の断面図（Ａ、Ｂ）と収納体の斜視図（Ｃ）であり、本実施例の物品梱包容器１０は、一の側壁体６の表面に、上側が開口する透明フォルダ１１が粘着部材１２で貼り付けてある。この透明フォルダ１１には、送付先等々を記載した伝票や機種名等を示すラベル、シート等（以下、伝票シートという）１３を収納する。
【００１７】
そして透明フォルダ１１に伝票シート１３を収納する際には、図２（Ｂ）に示すように、透明フォルダ１１の前面側を手前側（図では下方）に引っ張りながら、上縁の開口１４から透明フォルダ１１中に機種名称を示す伝票シート１３を挿入する。また透明フォルダ１１から伝票シート１３を取り出す際にも、図２（Ｂ）に示すように、透明フォルダ１１の前面側を手前側へ引っ張って上縁の開口１４を広げ、そこから透明フォルダ１１中にある伝票シート１３を抜き出す。
【００１８】
なお透明フォルダ１１には、収納対象とする伝票シート１３より大きいものを使用することが抜き差しを容易にする上で好ましいことは当然である。例えば、透明フォルダ１１をＢ４サイズとして、伝票シート１３はＡ４サイズと想定するなどである。伝票シート１３の抜き差し性を良くするためには、例えば透明フォルダ１１の開口１４のサイズを、伝票シート１３の幅の１０％程度大きい幅のものとすることが好ましい。
【００１９】
また透明フォルダ１１には、可撓性部材を使用することが好ましいことはもちろんであるが、配送する際に物品梱包容器１０同士の横方向を詰めてトラックの荷台等に積載することが多いことから、物品梱包容器１０同士が接触することで透明フォルダ１１が引っかかることを防止するために、物品梱包容器１０の側面よりも外側に伸びることがない程度の硬さを有すものとすることが望ましい。
【００２０】
また、透明フォルダ１１を物品梱包容器１０に貼り付ける際、図２（Ｂ）に示すように透明フォルダ１１の両端部を粘着部材１２で貼り付けてもよいが、透明フォルダ１１の開口１４の開口度合いが小さくなるため、伝票シート１３の抜き差しが困難になることや、開口１４を明けるための引っ張り力に負けて透明フォルダ１１が破損してしまう恐れがあることなどが考えられるので、図２（Ｃ）に示すように、透明フォルダ１１の両端ではなく、適宜内側に寄った部位で粘着部材１２により貼り付けると良い。なお粘着部材１２による透明フォルダ１１の固着部位は、透明フォルダ１１の素材等を考慮して適宜選定すればよい。これにより、図２（Ｃ）から明らかなように、開口１４を開ける際に透明フォルダ１１の両側縁が持ち上げられ、それによって開口１４が広がりやすくなり、伝票シート１３の抜き差し性が向上する。
【００２１】
なお図示の例では、粘着部材１２を伝票シート１３の縦方向ほぼ全長に沿って設けて透明フォルダ１１を固着しているが、このような固着態様に限られず、透明フォルダ１１の上側のみを貼り付ける等しても良い。また透明フォルダ１１の開口１４は上側ではなく側方へ開口するものであっても良い。
【００２２】
すなわち循環型の物品収納容器に搭載、収納する物品の機種名を記載したシート等を透明フォルダ１１に抜き差しして収納、除去する構成とすることで、容器回収時の梱包機種変更に伴う作業性が向上する。
【図面の簡単な説明】
【００２３】
【図１】本発明に係る物品梱包容器の一実施例の要部を示す斜視図である。
【図２】同要部の断面図（Ａ、Ｂ）と収納体の斜視図（Ｃ）である。
【図３】循環型の物品梱包容器の従来の例を示す分解斜視図である。
【符号の説明】
【００２４】
１：物品
２：ベース
３：隙間
４：囲繞体
５：支柱
６：側壁体
７：天蓋体
８：緩衝材
１０：物品梱包容器
透明フォルダ１１
粘着部材１２
伝票シート１３
透明フォルダ上縁の開口１４
【図１】
2006199344.tif 000003
【図２】
2006199344.tif 000004
【図３】
2006199344.tif 000005